(57)【特許請求の範囲】
【請求項１】
ｎ台（ｎは１以上の整数）の基地局との間で回線が設定される移動局において、前記基地局から送信されるパイロット信号の受信品質を測定しかつ当該測定結果に応じて前記回線を設定している基地局からｍ台（ｍは１以上の整数）の送信基地局を決定するとともに、送信基地局を指定する送信基地局指定信号を上り回線を通して送信し、
前記回線を設定した基地局において、前記送信基地局指定信号によって自局が送信基地局として指定されている場合に送信を行いかつそれ以外の場合に前記送信を停止するセルラシステムであって、
目標とする下り回線の受信誤り率に応じて前記上り回線を通して送信される前記送信基地局指定信号の受信誤り率の目標値を変化させる手段を有することを特徴とするセルラシステム。
【請求項２】
前記回線を設定している基地局を制御する基地局制御装置に、前記上り回線の受信品質が目標ＳＩＲ（Ｓｉｇｎａｌ  Ｉｎｔｅｒｆｅｒｅｒｅｎｃｅ  Ｒａｔｉｏ）に近づくように前記移動局の送信電力を閉ループ制御する際に前記目標とする下り回線の受信誤り率に応じて前記基地局における前記上り回線の目標ＳＩＲを設定する手段を含むことを特徴とする請求項１記載のセルラシステム。
【請求項３】
前記基地局制御装置に、前記目標とする下り回線の受信誤り率が低くなるほど前記上り回線の目標ＳＩＲを高く設定する手段を含むことを特徴とする請求項２記載のセルラシステム。
【請求項４】
前記回線を設定している基地局を制御する基地局制御装置に、前記目標とする下り回線の受信誤り率に応じて前記移動局が送信する送信基地局指定信号の送信電力を設定する手段を含むことを特徴とする請求項１記載のセルラシステム。
【請求項５】
前記基地局制御装置に、前記移動局が前記回線を設定している基地局に対して前記送信基地局指定信号を多重化した制御信号と情報信号とを送信する場合に前記目標とする下り回線の受信誤り率が低くなるほど前記移動局の送信する前記情報信号に対する前記制御信号の送信電力値の割合を大きく設定する手段を含むことを特徴とする請求項４記載のセルラシステム。
【請求項６】
前記移動局に、前記目標とする下り回線の受信誤り率に応じて前記送信基地局指定信号の送信電力を決定する手段を含むことを特徴とする請求項１記載のセルラシステム。
【請求項７】
前記移動局に、前記回線を設定している基地局に対して前記送信基地局指定信号を多重化した制御信号と情報信号とを送信する場合に前記目標とする下り回線の受信誤り率が低くなるほど前記情報信号に対する前記制御信号の送信電力値の割合を大きく設定する手段を含むことを特徴とする請求項６記載のセルラシステム。
【請求項８】
前記回線を設定している基地局を制御する基地局制御装置に、前記目標とする下り回線の受信誤り率に応じて前記移動局が送信する前記送信基地局指定信号の信号長を設定する手段を含むことを特徴とする請求項１記載のセルラシステム。
【請求項９】
前記回線を設定している基地局を制御する基地局制御装置に、前記送信基地局指定信号に誤り訂正符号化が施されている場合に前記目標とする下り回線の受信誤り率が低くなるほど前記送信基地局指定信号の冗長度を高く設定する手段を含むことを特徴とする請求項１記載のセルラシステム。
【請求項１０】
前記基地局制御装置に、前記送信基地局指定信号の単位時間当たりの送信ビット数を固定とする場合に前記目標とする下り回線の受信誤り率が低くなるほど前記送信基地局指定信号の信号周期を長く設定する手段を含むことを特徴とする請求項８または請求項９記載のセルラシステム。
【請求項１１】
前記基地局制御装置に、前記送信基地局指定信号の送信周期を固定とする場合に前記目標とする下り回線の受信誤り率が低くなるほど前記送信基地局指定信号の単位時間当たりの送信ビット数を多く設定する手段を含むことを特徴とする請求項８または請求項９記載のセルラシステム。
【請求項１２】
前記移動局に、前記目標とする下り回線の受信誤り率に応じて前記送信基地局指定信号の信号長を設定する手段を含むことを特徴とする請求項１記載のセルラシステム。
【請求項１３】
前記移動局に、前記送信基地局指定信号に誤り訂正符号化が施されている場合に前記目標とする下り回線の受信誤り率が低くなるほど前記送信基地局指定信号の冗長度を高く設定する手段を含むことを特徴とする請求項１記載のセルラシステム。
【請求項１４】
前記移動局に、前記送信基地局指定信号の単位時間当たりの送信ビット数を固定とする場合に前記目標とする下り回線の受信誤り率が低くなるほど前記送信基地局指定信号の信号周期を長く設定する手段を含むことを特徴とする請求項１２または請求項１３記載のセルラシステム。
【請求項１５】
前記移動局に、前記送信基地局指定信号の送信周期を固定とする場合に前記目標とする下り回線の受信誤り率が低くなるほど前記送信基地局指定信号の単位時間当たりの送信ビット数を多く設定する手段を含むことを特徴とする請求項１２または請求項１３記載のセルラシステム。
【請求項１６】
ｎ台（ｎは１以上の整数）の基地局との間で回線が設定される移動局において、前記回線を設定した基地局から送信されるパイロット信号の受信品質を測定しかつ当該測定結果に応じて前記回線を設定している基地局からｍ台（ｍは１以上の整数）の送信基地局を決定するとともに、送信基地局を指定する送信基地局指定信号を上り回線を通して送信し、
前記回線を設定した基地局において、前記送信基地局指定信号によって自局が送信基地局として指定されている場合に送信を行いかつそれ以外の場合に前記送信を停止するセルラシステムであって、
目標とする下り回線の受信誤り率に応じて前記送信基地局を決定する条件を変更することで指定される送信基地局数を制御する手段を有することを特徴とするセルラシステム。
【請求項１７】
前記回線を設定している基地局を制御する基地局制御装置に、前記移動局において前記回線を設定した基地局のパイロット信号の受信品質が所定のしきい値内となる基地局を前記送信基地局として指定する場合に前記目標とする下り回線の受信誤り率が低くなるほど前記送信基地局決定のためのしきい値を大きく設定する手段を含むことを特徴とする請求項１６記載のセルラシステム。
【請求項１８】
前記回線を設定している基地局を制御する基地局制御装置に、前記移動局において前記回線を設定した基地局のパイロット信号の受信品質の高いほうから所定の基地局数だけ送信基地局を指定する場合に前記目標とする下り回線の受信誤り率が低くなるほど前記送信基地局数を大きく設定する手段を含むことを特徴とする請求項１６記載のセルラシステム。
【請求項１９】
前記基地局制御装置に、前記目標とする下り回線の受信誤り率が所定の誤り率よりも低い場合に全ての基地局を送信基地局として設定する手段を含むことを特徴とする請求項１６から請求項１８のいずれか記載のセルラシステム。
【請求項２０】
前記移動局に、前記回線を設定した基地局のパイロット信号の受信品質が所定のしきい値内となる基地局を送信基地局として指定する場合に前記目標とする下り回線の受信誤り率が低くなるほど前記送信基地局決定のためのしきい値を大きく設定する手段を含むことを特徴とする請求項１６記載のセルラシステム。
【請求項２１】
前記移動局に、前記回線を設定した基地局のパイロット信号の受信品質の高いほうから所定の数だけ送信基地局を指定する場合に前記目標とする下り回線の受信誤り率が低くなるほど前記送信基地局数を大きく設定する手段を含むことを特徴とする請求項１６記載のセルラシステム。
【請求項２２】
前記移動局に、目標とする下り回線の受信誤り率が所定の誤り率よりも低い場合に全ての基地局を送信基地局として設定する手段を含むことを特徴とする請求項１６と請求項２０と請求項２１とのうちのいずれか記載のセルラシステム。
【請求項２３】
複数の基地局との間で回線を設定している移動局が前記基地局から送信されるパイロット信号の受信品質を測定しかつ当該測定結果に応じて前記回線を設定している基地局からｍ台（ｍは１以上の整数）の送信基地局を決定し、上り回線において送信する送信基地局指定信号を受信しかつ受信した前記送信基地局指定信号によって自局が送信基地局として指定されている場合に送信を行い、それ以外の場合に前記送信を停止する基地局を制御する基地局制御装置であって、目標とする下り回線の受信誤り率に応じて前記上り回線において送信される前記送信基地局指定信号の受信誤り率の目標値を変化させる手段を有することを特徴とする基地局制御装置。
【請求項２４】
前記上り回線の受信品質が目標ＳＩＲ（Ｓｉｇｎａｌ  Ｉｎｔｅｒｆｅｒｅｒｅｎｃｅ  Ｒａｔｉｏ）に近づくように前記移動局の送信電力を閉ループ制御する際に前記下り回線の目標受信誤り率に応じて前記回線を設定している基地局における前記上り回線の目標ＳＩＲを設定する手段を含むことを特徴とする請求項２３記載の基地局制御装置。
【請求項２５】
前記目標とする下り回線の受信誤り率が低くなるほど前記上り回線の目標ＳＩＲを高く設定する手段を含むことを特徴とする請求項２４記載の基地局制御装置。
【請求項２６】
前記目標とする下り回線の受信誤り率に応じて前記移動局が送信する送信基地局指定信号の送信電力を設定する手段を含むことを特徴とする請求項２３記載の基地局制御装置。
【請求項２７】
前記移動局から前記回線を設定している基地局に対して前記送信基地局指定信号を多重化した制御信号と情報信号とを送信する際に前記目標とする下り回線の受信誤り率が低くなるほど前記移動局の送信する情報信号に対する制御信号の送信電力値の割合を大きく設定する手段とを含むことを特徴とする請求項２６記載の基地局制御装置。
【請求項２８】
前記目標とする下り回線の受信誤り率に応じて前記移動局が送信する送信基地局指定信号の信号長を設定する手段を含むことを特徴とする請求項２３記載の基地局制御装置。
【請求項２９】
前記送信基地局指定信号に誤り訂正符号化が施されている場合に前記目標とする下り回線の受信誤り率が低くなるほど前記送信基地局指定信号の冗長度を高く設定する手段を含むことを特徴とする請求項２３記載の基地局制御装置。
【請求項３０】
前記送信基地局指定信号の単位時間当たりの送信ビット数を固定とする場合に前記目標とする下り回線の受信誤り率が低くなるほど前記送信基地局指定信号の信号周期を長く設定する手段を含むことを特徴とする請求項２８または請求項２９記載の基地局制御装置。
【請求項３１】
前記送信基地局指定信号の送信周期を固定とする場合に前記目標とする下り回線の受信誤り率が低くなるほど前記送信基地局指定信号の単位時間当たりの送信ビット数を多く設定する手段を含むことを特徴とする請求項２８または請求項２９記載の基地局制御装置。
【請求項３２】
複数の基地局との間で回線を設定している移動局が前記基地局から送信されるパイロット信号の受信品質を測定しかつ当該測定結果に応じて前記回線を設定している基地局からｍ台（ｍは１以上の整数）の送信基地局を決定し、上り回線において送信する送信基地局指定信号を受信しかつ受信した前記送信基地局指定信号によって自局が送信基地局として指定されている場合に送信を行い、それ以外の場合に前記送信を停止する基地局を制御する基地局制御装置であって、目標とする下り回線の受信誤り率に応じて前記送信基地局を決定する条件を変更することで指定される送信基地局数を制御する手段を有することを特徴とする基地局制御装置。
【請求項３３】
前記回線を設定した基地局のパイロット信号の受信品質が所定のしきい値内となる基地局を前記移動局が送信基地局として指定する際に前記目標とする下り回線の受信誤り率が低くなるほど前記送信基地局決定のためのしきい値を大きく設定する手段を含むことを特徴とする請求項３２記載の基地局制御装置。
【請求項３４】
前記回線を設定した基地局のパイロット信号の受信品質の高いほうから所定の基地局数だけ前記移動局が送信基地局を指定する際に前記目標とする下り回線の受信誤り率が低くなるほど前記送信基地局数を大きく設定する手段を含むことを特徴とする請求項３２記載の基地局制御装置。
【請求項３５】
前記目標とする下り回線の受信誤り率が所定の誤り率よりも低い場合に全ての基地局を送信基地局として設定する手段を含むことを特徴とする請求項３２から請求項３４のいずれか記載の基地局制御装置。
【請求項３６】
ｎ台（ｎは１以上の整数）の基地局との間に回線を設定しかつ前記回線を設定した基地局から送信されるパイロット信号の受信品質を測定するとともに、当該測定結果に応じて前記回線を設定している基地局からｍ台（ｍは１以上の整数）の送信基地局を決定し、上り回線において送信基地局を指定する送信基地局指定信号を送信する移動局であって、目標とする下り回線の受信誤り率に応じて前記送信基地局指定信号の送信配分を決定して前記回線を設定した基地局における前記送信基地局指定信号の受信誤り率の目標値を制御する手段を有することを特徴とする移動局。
【請求項３７】
前記目標とする下り回線の受信誤り率に応じて前記送信基地局指定信号の送信電力を決定する手段を含むことを特徴とする請求項３６記載の移動局。
【請求項３８】
前記回線を設定している基地局に対して前記送信基地局指定信号を多重化した制御信号と情報信号とを送信する際に前記目標とする下り回線の受信誤り率が低くなるほど前記情報信号に対する前記制御信号の送信電力値の割合を大きく設定する手段を含むことを特徴とする請求項３７記載の移動局。
【請求項３９】
前記目標とする下り回線の受信誤り率に応じて前記送信基地局指定信号の信号長を設定する手段を含むことを特徴とする請求項３６記載の移動局。
【請求項４０】
前記送信基地局指定信号に誤り訂正符号化が施されている場合に前記目標とする下り回線の受信誤り率が低くなるほど前記送信基地局指定信号の冗長度を高く設定する手段を含むことを特徴とする請求項３６記載の移動局。
【請求項４１】
前記送信基地局指定信号の単位時間当たりの送信ビット数を固定とする場合に前記目標とする下り回線の受信誤り率が低くなるほど前記送信基地局指定信号の信号周期を長く設定する手段を含むことを特徴とする請求項３９または請求項４０記載の移動局。
【請求項４２】
前記送信基地局指定信号の送信周期を固定とする場合に前記目標とする下り回線の受信誤り率が低くなるほど前記送信基地局指定信号の単位時間当たりの送信ビット数を多く設定する手段を含むことを特徴とする請求項３９または請求４０記載の移動局。
【請求項４３】
ｎ台（ｎは１以上の整数）の基地局との間に回線を設定しかつ前記回線を設定した基地局から送信されるパイロット信号の受信品質を測定するとともに、当該測定結果に応じて前記回線を設定している基地局からｍ台（ｍは１以上の整数）の送信基地局を決定し、上り回線において送信基地局を指定する送信基地局指定信号を送信する移動局であって、目標とする下り回線の受信誤り率に応じて前記送信基地局を決定する条件を変更することで指定される送信基地局数を制御する手段を有することを特徴とする移動局。
【請求項４４】
前記回線を設定した基地局のパイロット信号の受信品質が所定のしきい値内となる基地局を送信基地局として指定する場合に前記目標とする下り回線の受信誤り率が低くなるほど前記送信基地局決定のためのしきい値を大きく設定する手段を含むことを特徴とする請求項４３記載の移動局。
【請求項４５】
前記回線を設定した基地局のパイロット信号の受信品質の高いほうから所定の基地局数だけ送信基地局を指定する場合に前記目標とする下り回線の受信誤り率が低くなるほど前記送信基地局数を大きく設定する手段を含むことを特徴とする請求項４３記載の移動局。
【請求項４６】
前記目標とする下り回線の受信誤り率が所定の誤り率よりも低い場合に全ての基地局を送信基地局として設定する手段を含むことを特徴とする請求項４３から請求項４５のいずれか記載の移動局。
【請求項４７】
ｎ台（ｎは１以上の整数）の基地局との間で回線が設定される移動局において、前記基地局から送信されるパイロット信号の受信品質を測定しかつ当該測定結果に応じて前記回線を設定している基地局から前記ｎ台の送信基地局を決定するとともに、送信基地局を指定する送信基地局指定信号を上り回線を通して送信し、
前記回線を設定した基地局において、前記送信基地局指定信号によって自局が送信基地局として指定されている場合に送信を行いかつそれ以外の場合に前記送信を停止する送信電力制御方法であって、
目標とする下り回線の受信誤り率に応じて前記上り回線を通して送信される前記送信基地局指定信号の受信誤り率の目標値を変化させるステップを有することを特徴とする送信電力制御方法。
【請求項４８】
前記回線を設定している基地局を制御する基地局制御装置に、前記上り回線の受信品質が目標ＳＩＲ（Ｓｉｇｎａｌ  Ｉｎｔｅｒｆｅｒｅｒｅｎｃｅ  Ｒａｔｉｏ）に近づくように前記移動局の送信電力を閉ループ制御する際に前記目標とする下り回線の受信誤り率に応じて前記基地局における上り回線の目標ＳＩＲを設定するステップを含むことを特徴とする請求項４７記載の送信電力制御方法。
【請求項４９】
前記基地局制御装置に、前記目標とする下り回線の受信誤り率が低くなるほど前記上り回線の目標ＳＩＲを高く設定するステップを含むことを特徴とする請求項４８記載の送信電力制御方法。
【請求項５０】
前記回線を設定している基地局を制御する基地局制御装置に、前記目標とする下り回線の受信誤り率に応じて前記移動局が送信する送信基地局指定信号の送信電力を設定するステップを含むことを特徴とする請求項４７記載の送信電力制御方法。
【請求項５１】
前記基地局制御装置に、前記移動局が前記回線を設定している基地局に対して前記送信基地局指定信号を多重化した制御信号と情報信号とを送信する場合に前記目標とする下り回線の受信誤り率が低くなるほど前記移動局の送信する前記情報信号に対する前記制御信号の送信電力値の割合を大きく設定するステップを含むことを特徴とする請求項５０記載の送信電力制御方法。
【請求項５２】
前記移動局に、前記目標とする下り回線の受信誤り率に応じて前記送信基地局指定信号の送信電力を決定するステップを含むことを特徴とする請求項４７記載の送信電力制御方法。
【請求項５３】
前記移動局に、前記回線を設定している基地局に対して前記送信基地局指定信号を多重化した制御信号と情報信号とを送信するステップと、前記目標とする下り回線の受信誤り率が低くなるほど前記情報信号に対する前記制御信号の送信電力値の割合を大きく設定するステップとを含むことを特徴とする請求項５２記載の送信電力制御方法。
【請求項５４】
前記回線を設定している基地局を制御する基地局制御装置に、前記目標とする下り回線の受信誤り率に応じて前記移動局が送信する送信基地局指定信号の信号長を設定するステップを含むことを特徴とする請求項４７記載の送信電力制御方法。
【請求項５５】
前記基地局制御装置に、前記送信基地局指定信号に誤り訂正符号化が施されている場合に前記目標とする下り回線の受信誤り率が低くなるほど前記送信基地局指定信号の冗長度を高く設定するステップを含むことを特徴とする請求項４７記載の送信電力制御方法。
【請求項５６】
前記基地局制御装置に、前記送信基地局指定信号の単位時間当たりの送信ビット数を固定とする場合に前記目標とする下り回線の受信誤り率が低くなるほど前記送信基地局指定信号の信号周期を長く設定するステップを含むことを特徴とする請求項５４または請求項５５記載の送信電力制御方法。
【請求項５７】
前記基地局制御装置に、前記送信基地局指定信号の送信周期を固定とする場合に前記目標とする下り回線の受信誤り率が低くなるほど前記送信基地局指定信号の単位時間当たりの送信ビット数を多く設定するステップを含むことを特徴とする請求項５４または請求項５５記載の送信電力制御方法。
【請求項５８】
前記移動局に、前記目標とする下り回線の受信誤り率に応じて前記送信基地局指定信号の信号長を設定するステップを含むことを特徴とする請求項４７記載の送信電力制御方法。
【請求項５９】
前記移動局に、前記送信基地局指定信号に誤り訂正符号化が施されている場合に前記目標とする下り回線の受信誤り率が低くなるほど前記送信基地局指定信号の冗長度を高く設定するステップを含むことを特徴とする請求項４７記載の送信電力制御方法。
【請求項６０】
前記移動局に、前記送信基地局指定信号の単位時間当たりの送信ビット数を固定とする場合に前記目標とする下り回線の受信誤り率が低くなるほど前記送信基地局指定信号の信号周期を長く設定するステップを含むことを特徴とする請求項５８または請求項５９記載の送信電力制御方法。
【請求項６１】
前記移動局に、前記送信基地局指定信号の送信周期を固定とする場合に前記目標とする下り回線の受信誤り率が低くなるほど前記送信基地局指定信号の単位時間当たりの送信ビット数を多く設定するステップを含むことを特徴とする請求項５８または請求項５９記載の送信電力制御方法。
【請求項６２】
ｎ台（ｎは１以上の整数）の基地局との間で回線が設定される移動局において、前記基地局から送信されるパイロット信号の受信品質を測定しかつ当該測定結果に応じて前記回線を設定している基地局からｍ台（ｍは１以上の整数）の送信基地局を決定するとともに、送信基地局を指定する送信基地局指定信号を上り回線を通して送信し、
前記回線を設定した基地局において、前記送信基地局指定信号によって自局が送信基地局として指定されている場合に送信を行いかつそれ以外の場合に前記送信を停止する送信電力制御方法であって、
目標とする下り回線の受信誤り率に応じて前記送信基地局を決定する条件を変更することで指定される送信基地局数を制御するステップを有することを特徴とする送信電力制御方法。
【請求項６３】
前記回線を設定している基地局を制御する基地局制御装置に、前記移動局において前記回線を設定した基地局のパイロット信号の受信品質が所定のしきい値内となる基地局を送信基地局として指定する場合に前記目標とする下り回線の受信誤り率が低くなるほど前記送信基地局決定のためのしきい値を大きく設定するステップを含むことを特徴とする請求項６２記載の送信電力制御方法。
【請求項６４】
前記回線を設定している基地局を制御する基地局制御装置に、前記移動局において前記回線を設定した基地局のパイロット信号の受信品質の高いほうから所定の基地局数だけ送信基地局を指定する場合に前記目標とする下り回線の受信誤り率が低くなるほど前記送信基地局数を大きく設定するステップを含むことを特徴とする請求項６２記載の送信電力制御方法。
【請求項６５】
前記基地局制御装置に、前記目標とする下り回線の受信誤り率が所定の誤り率よりも低い場合に全ての基地局を送信基地局として設定するステップを含むことを特徴とする請求項６２から請求項６４のいずれか記載の送信電力制御方法。
【請求項６６】
前記移動局に、前記回線を設定した基地局のパイロット信号の受信品質が所定のしきい値内となる基地局を送信基地局として指定する場合に前記目標とする下り回線の受信誤り率が低くなるほど前記送信基地局決定のためのしきい値を大きく設定するステップを含むことを特徴とする請求項６２記載の送信電力制御方法。
【請求項６７】
前記移動局に、前記回線を設定した基地局のパイロット信号の受信品質の高いほうから所定の数だけ送信基地局を指定する場合に前記目標とする下り回線の受信誤り率が低いほど、前記送信基地局数を大きく設定するステップを含むことを特徴とする請求項６２記載の送信電力制御方法。
【請求項６８】
前記移動局に、前記目標とする下り回線の受信誤り率が所定の誤り率よりも低い場合に全ての基地局を送信基地局として設定するステップを含むことを特徴とする請求項６０と請求項６２と請求項６３とのいずれか記載の送信電力制御方法。
【発明の詳細な説明】
【０００１】
【発明の属する技術分野】
本発明はセルラシステム、基地局制御装置、移動局及びそれらに用いる送信電力制御方法に関し、特にセルラシステムにおけるハンドオーバ中の基地局での送信を制御する方法に関する。
【０００２】
【従来の技術】
直接拡散符号分割多重接続（ＤＳ−ＣＤＭＡ：Ｄｉｒｅｃｔ  Ｓｅｑｕｅｎｃｅ−Ｃｏｄｅ  Ｄｉｖｉｓｉｏｎ  Ｍｕｌｔｉｐｌｅ  Ａｃｃｅｓｓ）を用いたセルラシステムでは、複数のチャネルで同じ周波数帯を使用するため、他のチャネルの電波は干渉となり、干渉が増加すると希望波の受信品質が劣化し、回線の切断等が生じる。したがって、所要の受信品質を保ちつつ通信を行える回線数、すなわち回線容量は干渉の量に依存する。
【０００３】
上り回線において、基地局から遠くに位置する移動局の送信する信号は、希望局の近くに位置する移動局の送信する信号より電力の減衰する割合が大きいため、同じ電力で送信を行うと、干渉波が希望波より大きくなり、通信が困難となる遠近効果が生じる。よって、上り回線においては基地局で受信する各移動局からの信号が同等な受信電力となるよう、各移動局の送信電力を制御する送信電力制御が必須技術である。
【０００４】
一方、下り回線においては、このような遠近効果が生じないが、他のチャネルへの干渉を低減するために、移動局での受信品質が所要品質を保てる必要最低限の送信電力となるように基地局における送信電力制御を行っている。各送信電力制御は閉ループ型の制御を行っており、測定した受信品質を所定の目標品質と比較して、目標品質よりも高ければ送信電力を下げるよう指示する送信電力制御（Ｔｒａｎｓｍｉｔ  Ｐｏｗｅｒ  Ｃｏｎｔｒｏｌ；ＴＰＣ）信号を送信し、目標品質よりも低ければ送信電力を上げるよう指示するＴＰＣ信号を送信する。
【０００５】
また、通常、ＣＤＭＡを用いたセルラシステムでは、ソフトハンドオーバという技術が用いられる。これは移動局がセル境界付近に近づき、通信中の基地局から受信する信号と、隣接する基地局から受信する信号との伝搬損の差が所定のしきい値内となった場合に、移動局に同時に接続することで複数の基地局から送信を行うものである。
【０００６】
これによって、伝搬損が大きく受信品質が劣化しやすいセル境界付近においても、複数基地局から送信することによるダイバーシチ効果によって受信品質を向上させ、通信中の基地局との回線を切断する前に、次の接続候補である基地局との回線を設定しておくため、瞬断なくスムーズにハンドオーバを行うことができる。
【０００７】
しかしながら、下り回線においては、ソフトハンドオーバ中、複数の基地局が送信を行うため、干渉が増加し、回線容量が減少するという問題がある。このような問題を解決するために、特開平１１−６９４１６号公報には、ソフトハンドオーバ中の基地局群から送信を行う基地局を限定し、下り回線の干渉を減少させる技術が開示されている。これは基地局が所定の電力でパイロット信号を送信しており、移動局が回線を設定した基地局が送信しているパイロット信号の受信品質を測定し、受信品質の高い基地局を送信する基地局（送信基地局）と決定し、上り回線において送信基地局を指定する信号を制御信号に多重化して送信するものである。
【０００８】
各回線を設定した基地局では、受信した制御信号が自局を送信基地局として指定する場合に下り回線の送信を行い、それ以外の基地局の送信を停止する。これによって、伝搬損の小さい基地局のみに送信を行わせることができるため、下り回線の干渉が減少し、回線容量の増加が見込まれる。
【０００９】
【発明が解決しようとする課題】
しかしながら、上述した従来の送信電力制御方法では、各回線を設定した基地局が送信基地局を指定した制御信号を誤って受信する場合がある。特に、送信基地局が制御信号を誤って受信し、送信を停止してしまった場合、回線を設定した基地局全てが送信を行わない場合が生じる。
【００１０】
このような場合、送信基地局の更新周期間を通して全く送信が行われないため、移動局におけるインタリーブ、誤り訂正をもってしても正常な復調を行うことができず、受信誤りとなる可能性が高くなり、移動局における誤り率が増加してしまう。
【００１１】
したがって、下り回線で達成可能な受信誤り率は上り回線における制御信号の受信誤り率で制限され、要求されている目標受信誤り率が非常に低い場合にはその目標受信誤り率を達成することができない場合があるという問題がある。
【００１２】
このような問題を解決するには、送信基地局が全く送信を行わない割合を非常に小さくすればよい。そのためには、送信基地局を通知する制御信号の送信電力を大きく設定しておいたり、送信基地局を指定する信号の冗長度を大きくしておく等のことで、送信基地局における制御信号の受信誤り率が非常に小さくなるようにしておけばよい。しかしながら、これによって上り回線の回線容量の減少や送信基地局更新の制御周期が長くなる等の問題がある。
【００１３】
また、常に複数の基地局を送信基地局として選択し、１つの送信基地局が制御信号の受信誤りを起こしても、他の送信基地局から送信を行うことによって、全ての基地局が送信を停止する割合が非常に小さくなるようにしておくという解決策も考えられる。しかしながら、これは複数基地局の送信による干渉の増加によって、下り回線の回線容量の減少をもたらすという問題がある。
【００１４】
そこで、本発明の目的は上記の問題点を解消し、上り回線または下り回線の回線容量への影響や送信基地局更新の制御周期の増長等をできるだけ小さくしつつ、下り回線の受信誤り率を達成することができるセルラシステム、基地局制御装置、移動局及びそれらに用いる送信電力制御方法を提供することにある。
【００１５】
【課題を解決するための手段】
本発明によるセルラシステムは、ｎ台（ｎは１以上の整数）の基地局との間で回線が設定される移動局において、前記基地局から送信されるパイロット信号の受信品質を測定しかつ当該測定結果に応じて前記回線を設定している基地局からｍ台（ｍは１以上の整数）の送信基地局を決定するとともに、送信基地局を指定する送信基地局指定信号を上り回線を通して送信し、
前記回線を設定した基地局において、前記送信基地局指定信号によって自局が送信基地局として指定されている場合に送信を行いかつそれ以外の場合に前記送信を停止するセルラシステムであって、
目標とする下り回線の受信誤り率に応じて前記上り回線を通して送信される前記送信基地局指定信号の受信誤り率の目標値を変化させる手段を備えている。
【００１６】
本発明による他のセルラシステムは、ｎ台（ｎは１以上の整数）の基地局との間で回線が設定される移動局において、前記回線を設定した基地局から送信されるパイロット信号の受信品質を測定しかつ当該測定結果に応じて前記回線を設定している基地局からｍ台（ｍは１以上の整数）の送信基地局を決定するとともに、送信基地局を指定する送信基地局指定信号を上り回線を通して送信し、
前記回線を設定した基地局において、前記送信基地局指定信号によって自局が送信基地局として指定されている場合に送信を行いかつそれ以外の場合に前記送信を停止するセルラシステムであって、
目標とする下り回線の受信誤り率に応じて前記送信基地局を決定する条件を変更することで指定される送信基地局数を制御する手段を備えている。
【００１７】
本発明による基地局制御装置は、複数の基地局との間で回線を設定している移動局が前記基地局から送信されるパイロット信号の受信品質を測定しかつ当該測定結果に応じて前記回線を設定している基地局からｍ台（ｍは１以上の整数）の送信基地局を決定し、上り回線において送信する送信基地局指定信号を受信しかつ受信した前記送信基地局指定信号によって自局が送信基地局として指定されている場合に送信を行い、それ以外の場合に前記送信を停止する基地局を制御する基地局制御装置であって、目標とする下り回線の受信誤り率に応じて前記上り回線において送信される前記送信基地局指定信号の受信誤り率の目標値を変化させる手段を備えている。
【００１８】
本発明による他の基地局制御装置は、複数の基地局との間で回線を設定している移動局が前記基地局から送信されるパイロット信号の受信品質を測定しかつ当該測定結果に応じて前記回線を設定している基地局からｍ台（ｍは１以上の整数）の送信基地局を決定し、上り回線において送信する送信基地局指定信号を受信しかつ受信した前記送信基地局指定信号によって自局が送信基地局として指定されている場合に送信を行い、それ以外の場合に前記送信を停止する基地局を制御する基地局制御装置であって、目標とする下り回線の受信誤り率に応じて前記送信基地局を決定する条件を変更することで指定される送信基地局数を制御する手段を備えている。
【００１９】
本発明による移動局は、ｎ台（ｎは１以上の整数）の基地局との間に回線を設定しかつ前記回線を設定した基地局から送信されるパイロット信号の受信品質を測定するとともに、当該測定結果に応じて前記回線を設定している基地局からｍ台（ｍは１以上の整数）の送信基地局を決定し、上り回線において送信基地局を指定する送信基地局指定信号を送信する移動局であって、目標とする下り回線の受信誤り率に応じて前記送信基地局指定信号の送信配分を決定して前記回線を設定した基地局における前記送信基地局指定信号の受信誤り率の目標値を制御する手段を備えている。
【００２０】
本発明による他の移動局は、ｎ台（ｎは１以上の整数）の基地局との間に回線を設定しかつ前記回線を設定した基地局から送信されるパイロット信号の受信品質を測定するとともに、当該測定結果に応じて前記回線を設定している基地局からｍ台（ｍは１以上の整数）の送信基地局を決定し、上り回線において送信基地局を指定する送信基地局指定信号を送信する移動局であって、目標とする下り回線の受信誤り率に応じて前記送信基地局を決定する条件を変更することで指定される送信基地局数を制御する手段を備えている。
【００２１】
本発明による送信電力制御方法は、ｎ台（ｎは１以上の整数）の基地局との間で回線が設定される移動局において、前記基地局から送信されるパイロット信号の受信品質を測定しかつ当該測定結果に応じて前記回線を設定している基地局から前記ｎ台の送信基地局を決定するとともに、送信基地局を指定する送信基地局指定信号を上り回線を通して送信し、
前記回線を設定した基地局において、前記送信基地局指定信号によって自局が送信基地局として指定されている場合に送信を行いかつそれ以外の場合に前記送信を停止する送信電力制御方法であって、
目標とする下り回線の受信誤り率に応じて前記上り回線を通して送信される前記送信基地局指定信号の受信誤り率の目標値を変化させるステップを備えている。
【００２２】
本発明による他の送信電力制御方法は、ｎ台（ｎは１以上の整数）の基地局との間で回線が設定される移動局において、前記基地局から送信されるパイロット信号の受信品質を測定しかつ当該測定結果に応じて前記回線を設定している基地局からｍ台（ｍは１以上の整数）の送信基地局を決定するとともに、送信基地局を指定する送信基地局指定信号を上り回線を通して送信し、
前記回線を設定した基地局において、前記送信基地局指定信号によって自局が送信基地局として指定されている場合に送信を行いかつそれ以外の場合に前記送信を停止する送信電力制御方法であって、
目標とする下り回線の受信誤り率に応じて前記送信基地局を決定する条件を変更することで指定される送信基地局数を制御するステップを備えている。
【００２３】
すなわち、本発明のセルラシステムは、ｎ台（ｎは１以上の整数）の基地局と回線を設定し、その基地局から送信されるパイロット信号の受信品質を測定し、当該測定結果に応じて、回線を設定している基地局からｍ台（ｍは１以上の整数）の送信基地局を決定し、上り回線において送信基地局を指定する送信基地局指定信号を送信する移動局と、移動局と回線を設定し、受信した送信基地局指定信号によって自局が送信基地局として指定されている場合に送信を行い、それ以外の場合に送信を停止する基地局とから構成され、目標とする下り回線の受信誤り率に応じて送信基地局指定信号の送信配分を決定させ、回線を設定した基地局における送信基地局指定信号の受信誤り率を制御している。
【００２４】
また、本発明の他のセルラシステムは、ｎ台（ｎは１以上の整数）の基地局と回線を設定し、回線を設定した基地局から送信されるパイロット信号の受信品質を測定し、当該測定結果に応じて、回線を設定している基地局からｍ台（ｍは１以上の整数）の送信基地局を決定し、上り回線において送信基地局を指定する送信基地局指定信号を送信する移動局と、移動局と回線を設定し、受信した送信基地局指定信号によって自局が送信基地局として指定されている場合に送信を行い、それ以外の場合に送信を停止する基地局とから構成され、目標とする下り回線の受信誤り率に応じて、送信基地局を決定する条件を変更し、指定される送信基地局数を制御している。
【００２５】
本発明の基地局制御装置は、複数の基地局と回線を設定している移動局が、基地局から送信されるパイロット信号の受信品質を測定し、当該測定結果に応じて、回線を設定している基地局からｍ台（ｍは１以上の整数）の送信基地局を決定して上り回線において送信する送信基地局指定信号を受信し、受信した送信基地局指定信号によって自局が送信基地局として指定されている場合に送信を行い、それ以外の場合に送信を停止する基地局を制御しており、目標とする下り回線の受信誤り率に応じて送信基地局指定信号の送信配分を決定させ、回線を設定した基地局における送信基地局指定信号の受信誤り率を制御させている。
【００２６】
本発明の他の基地局制御装置は、複数の基地局と回線を設定している移動局が、回線を設定した基地局から送信されるパイロット信号の受信品質を測定し、当該測定結果に応じて、回線を設定している基地局からｍ台（ｍは１以上の整数）の送信基地局を決定し、上り回線において送信する送信基地局指定信号を受信し、受信した送信基地局指定信号によって自局が送信基地局として指定されている場合に送信を行い、それ以外の場合に送信を停止する基地局を制御する基地局制御装置において、目標とする下り回線の受信誤り率に応じて、送信基地局を決定する条件を変更し、指定される送信基地局数を制御している。
【００２７】
本発明の移動局は、ｎ台（ｎは１以上の整数）の基地局と回線を設定し、回線を設定した基地局から送信されるパイロット信号の受信品質を測定し、当該測定結果に応じて、回線を設定している基地局からｍ台（ｍは１以上の整数）の送信基地局を決定し、上り回線において送信基地局を指定する送信基地局指定信号を送信し、目標とする下り回線の受信誤り率に応じて送信基地局指定信号の送信配分を決定させ、回線を設定した基地局における送信基地局指定信号の受信誤り率を制御させている。
【００２８】
本発明の他の移動局は、ｎ台（ｎは１以上の整数）の基地局と回線を設定し、回線を設定した基地局から送信されるパイロット信号の受信品質を測定し、当該測定結果に応じて、回線を設定している基地局からｍ台（ｍは１以上の整数）の送信基地局を決定し、上り回線において送信基地局を指定する送信基地局指定信号を送信し、目標とする下り回線の受信誤り率に応じて、送信基地局を決定する条件を変更し、指定される送信基地局数を制御している。
【００２９】
本発明の送信電力制御方法は、ｎ台（ｎは１以上の整数）の基地局と回線を設定し、基地局から送信されるパイロット信号の受信品質を測定し、当該測定結果に応じて、回線を設定している基地局からｍ台（ｍは１以上の整数）の送信基地局を決定し、上り回線において送信基地局を指定する送信基地局指定信号を送信する移動局と、移動局と回線を設定し、受信した送信基地局指定信号によって自局が送信基地局として指定されている場合に送信を行い、それ以外の場合に送信を停止する基地局とから構成され、目標とする下り回線の受信誤り率に応じて送信基地局指定信号の送信配分を決定させ、回線を設定した基地局における送信基地局指定信号の受信誤り率を変化させるようにしている。
【００３０】
本発明の他の送信基地局制御方法は、ｎ台（ｎは１以上の整数）の基地局と回線を設定し、回線を設定した基地局から送信されるパイロット信号の受信品質を測定し、当該測定結果に応じて、回線を設定している基地局からｍ台（ｍは１以上の整数）の送信基地局を決定し、上り回線において送信基地局を指定する送信基地局指定信号を送信する移動局と、移動局と回線を設定し、受信した送信基地局指定信号によって自局が送信基地局として指定されている場合に送信を行い、それ以外の場合に送信を停止する基地局とから構成され、目標とする下り回線の受信誤り率に応じて、送信基地局を決定する条件を変更し、指定される送信基地局数を制御している。
【００３１】
上記のように、本発明では、下り回線で要求される目標受信誤り率に応じて、全ての基地局が送信を停止する割合を制御しているので、下り回線の目標受信誤り率に応じて、適応的に基地局における制御信号の受信誤り率を低減させたり、もしくは指定する送信基地局の数を増加させたりすることが可能となる。これによって、上り回線または下り回線の回線容量への影響や、送信基地局更新の制御周期の増長等をできるだけ小さくすることが可能となり、下り回線の受信誤り率が達成可能となる。
【００３２】
【発明の実施の形態】
次に、本発明の実施例について図面を参照して説明する。図１は本発明の実施の形態によるセルラシステムの構成を示すブロック図である。図１において、本発明の実施の形態によるセルラシステムはＤＳ−ＣＤＭＡ（Ｄｉｒｅｃｔ  Ｓｅｑｕｅｎｃｅ−Ｃｏｄｅ  Ｄｉｖｉｓｉｏｎ  Ｍｕｌｔｉｐｌｅ  Ａｃｃｅｓｓ：直接拡散符号分割多重接続）方式を用いたシステムである。
【００３３】
このセルラシステムにおいて、移動局３１，３２はｎ台（ｎは１以上の整数）の基地局２１〜２３と回線を設定しており、回線を設定した基地局２１〜２３の送信するパイロット信号の受信レベルを測定し、当該結果に応じて送信を行うｍ台（ｍは１以上の整数）の送信基地局を決定し、上り回線において送信基地局指定信号を送信し、回線を設定した基地局２１，２３へ通知する。
【００３４】
回線を設定した基地局２１，２３では送信基地局指定信号を受信し、自局が送信基地局として指定されている場合に下り回線の送信を行い、自局が送信基地局として指定されていない場合（非送信基地局）に下り回線の送信を停止する。
【００３５】
基地局２１〜２３は各々のセル１０１〜１０３の範囲内の移動局３１，３２に送信を行っている。各基地局２１〜２３は基地局制御装置（ＢＳＣ：Ｂａｓｅ  Ｓｔａｔｉｏｎ  Ｃｏｎｔｒｏｌｌｅｒ）１に接続されている。また、各基地局２１〜２３はセル内の全移動局３１，３２を対象とした所定電力値の共通パイロット信号と、各々の移動局を対象とした個別制御信号と、個別情報信号とを送信しており、移動局３１，３２は回線を設定した基地局２１〜２３に対して個別制御信号と個別情報信号とを送信している。それらの送信電力値は高速閉ループ型の送信電力制御によって制御されている。
【００３６】
移動局３１，３２は各基地局２１〜２３の送信する共通パイロット信号の受信レベルが最大である基地局と、その基地局との受信レベルの差が所定のしきい値以内となる基地局との回線を設定する。さらに、移動局３１，３２では周期的に共通パイロット信号の受信レベルが大きい基地局から順に所定の条件で送信基地局を選択し、上り回線の個別制御信号において送信基地局指定信号を送信し、各回線を設定した基地局に通知する。
【００３７】
セル１０１の中心付近に位置する移動局３１は、基地局２１の送信する共通パイロット信号の受信レベルが最良であり、かつ他の基地局２２，２３の送信する共通パイロット信号の受信レベルの差が所定のしきい値以内となっていないため、基地局２１とのみ回線を設定している。
【００３８】
また、移動局３２はセル１０１〜１０３の境界付近に位置しており、基地局２１〜２３の送信する共通パイロット信号の受信レベルの差が、所定のしきい値内となっているため、同時に回線を設定している。しかしながら、基地局２２は所定の送信基地局を決定する条件を満たしていないため、移動局３２は基地局２１，２３のみが送信基地局であることを指定する送信基地局制御信号を上り回線の個別制御信号において送信する。
【００３９】
この時、送信基地局を選択する条件、もしくは送信基地局指定信号は、下り回線の目標受信誤り率に応じて制御されている。この送信基地局指定信号を受信し、基地局２１，２３は個別制御信号及び個別情報信号の送信を行い、基地局２２は個別情報信号の送信を停止し、個別制御信号のみを送信する。
【００４０】
図２は本発明の第１の実施例による基地局制御装置の構成を示すブロック図である。図２において、基地局制御装置１は基地局２１〜２３から送信される信号を受信する入力端子１０と、受信処理部１１と、基地局２１〜２３の送受信に関する各種制御を行う制御部１２と、図示せぬ上位ネットワークから通知される下り回線の目標フレーム誤り率（ＦＥＲ：Ｆｒａｍｅ  Ｅｒｒｏｒ  Ｒａｔｅ）を抽出する目標ＦＥＲ情報抽出部１３と、基地局２１〜２３における上り回線の目標ＳＩＲ（Ｓｉｇｎａｌ  Ｉｎｔｅｒｆｅｒｅｒｅｎｃｅ  Ｒａｔｉｏ）を、抽出した目標ＦＥＲに応じて決定する目標ＳＩＲ決定部１４と、送信処理部１５と、各基地局２１〜２３へ信号を送信する出力端子１６とから構成されている。尚、本実施例による基地局制御装置１が属するシステムは図１に示すセルラシステムである。
【００４１】
目標ＳＩＲ決定部１４は基地局２１〜２３における上り回線の目標ＳＩＲを決定し、その情報を下り回線の個別制御信号に多重化し、基地局２１〜２３に通知する。
【００４２】
図３は図２の基地局制御装置１の動作を示すフローチャートである。これら図１〜図３を参照して基地局制御装置１が不定期に通知される下り回線の目標ＦＥＲ信号を受信した際の基地局２１，２３に対する目標ＳＩＲ通知信号の送信について説明する。
【００４３】
まず、基地局制御装置１では新たに移動局３２と回線を設定する場合、または通信途中に下り回線の目標ＦＥＲが変更になった場合等において、上位ネットワークから通知される目標ＦＥＲ情報を抽出する（図３ステップＳ１）。
【００４４】
基地局制御装置１は抽出した目標ＦＥＲ（ＦＥＲTRG ）をしきい値（ＦＥＲTH）と比較し（図３ステップＳ２）、その結果、ＦＥＲTRG ＞ＦＥＲTHであれば、上り回線の目標ＳＩＲをＳＩＲ＝ＳＩＲsmall とし（図３ステップＳ３）、ＦＥＲTRG ＜ＦＥＲTHであれば、上り回線の目標ＳＩＲをＳＩＲ＝ＳＩＲlarge とする（図３ステップＳ４）。この時、ＳＩＲsmall ＜ＳＩＲlarge である。
【００４５】
その後、基地局制御装置１は決定した上り回線の目標ＳＩＲを通知する目標ＳＩＲ通知信号を送信する（図３ステップＳ５）。基地局２１，２３では基地局制御装置１から通知された目標ＳＩＲ通知信号を受信し、通知された目標ＳＩＲに近づくように移動局３２の送信電力値を制御するＴＰＣ（Ｔｒａｎｓｍｉｔ  Ｐｏｗｅｒ  Ｃｏｎｔｒｏｌ）信号を送信する。基地局制御装置１では上位ネットワークから下り回線の目標ＦＥＲが通知される毎に、上述したような制御を行う。
【００４６】
本発明の第１の実施例において根幹をなす動作は、下り回線の目標ＦＥＲが低いほど、上り回線における目標ＳＩＲを高くし、移動局３２の送信電力を高くすることによって、送信基地局における送信基地局指定信号の受信誤りを低減させることである。この結果、送信基地局が受信誤りによって自局を非送信基地局と判断し、送信を停止する確率を減少させることができる。したがって、全ての基地局２１，２３が送信を停止する確率も小さくなり、下り回線における受信品質を向上させることができ、目標ＦＥＲを達成することができる。
【００４７】
また、目標ＦＥＲが比較的大きい場合には、上り回線の目標ＳＩＲも低くする。したがって、移動局３２における送信電力が小さくなり、上り回線の干渉もできるだけ低減することができる。その結果、本実施例では下り回線の目標ＦＥＲを満たしつつ、必要以上に上り回線の干渉を増加させないようにし、上り回線の回線容量も増大させることができる。
【００４８】
図４は本発明の第２の実施例による基地局制御装置の構成を示すブロック図である。図４において、本発明の第２の実施例による基地局制御装置４では目標ＳＩＲ決定部１４の代わりにオフセット電力値決定部４１を設けた以外は図２に示す本発明の第１の実施例と同様の構成となっており、同一構成要素には同一符号を付してある。また、同一構成要素の動作は本発明の第１の実施例の動作と同様である。さらに、本実施例による基地局制御装置４が属するシステムは図１に示すセルラシステムである。
【００４９】
オフセット電力値決定部４１は目標ＦＥＲに応じて上り回線の個別制御信号の個別情報信号に対するオフセット電力値を決定し、その決定したオフセット電力値を基地局２１，２３を介して下り回線において移動局３２に通知する。
【００５０】
図５は図４の基地局制御装置４の動作を示すフローチャートである。これら図１と図４と図５とを参照して基地局制御装置４が不定期に通知される下り回線の目標ＦＥＲ信号を受信した際の移動局３２に対するオフセット電力値通知信号の送信について説明する。
【００５１】
まず、基地局制御装置４では新たに移動局３２と回線を設定する場合、または通信途中に下り回線の目標ＦＥＲが変更になった場合等において、図示せぬ上位ネットワークから通知される目標ＦＥＲ情報を抽出する（図５ステップＳ１１）。
【００５２】
基地局制御装置４は抽出した目標ＦＥＲ（ＦＥＲTRG ）をしきい値（ＦＥＲTH）と比較し（図５ステップＳ１２）、その結果、ＦＥＲTRG ＞ＦＥＲTHであれば、オフセット電力値をΔＰ＝Ｐsmall とし（図５ステップＳ１３）、ＦＥＲTRG ＜ＦＥＲTHであれば、オフセット電力値をΔＰ＝Ｐlarge とする（図５ステップＳ１４）。この時、Ｐsmall ＜Ｐlarge である。
【００５３】
その後、基地局制御装置４は決定したオフセット電力値を通知するオフセット電力値通知信号を送信する（図５ステップＳ１５）。基地局２１，２３では上位ネットワークから下り回線の目標ＦＥＲが通知される毎に、上述したような制御を行う。
【００５４】
本発明の第２の実施例の根幹をなす動作は、目標ＦＥＲが低いほど、上り回線において送信する送信基地局指定信号の送信電力を高くし、送信基地局における送信基地局指定信号の受信誤りを低減させることである。この結果、送信基地局が受信誤りによって自局を非送信基地局と判断し、送信を停止する確率を減少させることができる。したがって、全ての基地局２１，２３が送信を停止する確率も小さくなり、下り回線における受信品質を向上させることができ、目標ＦＥＲを達成することができる。
【００５５】
また、目標ＦＥＲが比較的大きい場合には、送信基地局指定信号の送信電力を低くする。したがって、上り回線の干渉もできるだけ低減することができる。よって、本実施例では下り回線の目標ＦＥＲを満たしつつ、上り回線の回線容量を増大させることができる。
【００５６】
図６は本発明の第３の実施例による基地局制御装置の構成を示すブロック図である。図６において、本発明の第３の実施例による基地局制御装置５では目標ＳＩＲ決定部１４の代わりに送信基地局指定信号長決定部５１を設けた以外は図２に示す本発明の第１の実施例と同様の構成となっており、同一構成要素には同一符号を付してある。また、同一構成要素の動作は本発明の第１の実施例の動作と同様である。さらに、本実施例による基地局制御装置５が属するシステムは図１に示すセルラシステムである。
【００５７】
送信基地局指定信号長決定部５１は目標ＦＥＲに応じて上り回線の個別制御信号において送信する送信基地局指定信号の信号長を決定し、その決定した送信基地局指定信号の信号長を基地局２１，２３を介して下り回線において移動局３２に通知する。
【００５８】
図７は図６の基地局制御装置５の動作を示すフローチャートである。これら図１と図６と図７とを参照して基地局制御装置５が不定期に通知される下り回線の目標ＦＥＲ信号を受信した際の移動局３２に対する信号長通知信号の送信について説明する。
【００５９】
まず、基地局制御装置５では新たに移動局３２と回線を設定する場合、または通信途中に下り回線の目標ＦＥＲが変更になった場合等において、図示せぬ上位ネットワークから通知される目標ＦＥＲ情報を抽出する（図７ステップＳ２１）。
【００６０】
基地局制御装置５は抽出した目標ＦＥＲ（ＦＥＲTRG ）をしきい値（ＦＥＲTH）と比較し（図７ステップＳ２２）、その結果、ＦＥＲTRG ＞ＦＥＲTHであれば、送信基地局指定信号の信号長をＴ＝Ｔshort とし（図７ステップＳ２３）、ＦＥＲTRG ＜ＦＥＲTHであれば、信号長をＴ＝Ｔlongとする（図７ステップＳ２４）。この時、Ｔshort ＜Ｔlongである。
【００６１】
その後、基地局制御装置５は決定した信号長を通知する信号長通知信号を送信する（図７ステップＳ２５）。基地局制御装置５では上位ネットワークから下り回線の目標ＦＥＲが通知される毎に、上述したような制御を行う。
【００６２】
本発明の第３の実施例の根幹をなす動作は、目標ＦＥＲが低いほど、上り回線において送信する送信基地局指定信号の信号長を長くし、冗長度を高めることである。この結果、送信基地局における送信基地局指定信号の受信誤りを低減させることができ、全ての基地局２１，２３が送信を停止する確率を小さくすることができる。これによって、下り回線における受信品質を向上させることができ、目標ＦＥＲを達成することができる。
【００６３】
また、目標ＦＥＲが比較的高い場合には、送信基地局指定信号の信号長を短くする。これによって、送信基地局の更新周期を短くしたり、上り回線で送信基地局指定信号を送信するための情報ビットの割合を削減することができる。したがって、本実施例では下り回線の目標ＦＥＲを満たしつつ、できるだけ送信基地局更新の追従性を高めたり、上り回線の送信の効率化を図ることができる。
【００６４】
図８は本発明の第４の実施例による基地局制御装置の構成を示すブロック図である。図８において、本発明の第４の実施例による基地局制御装置６では目標ＳＩＲ決定部１４の代わりにしきい値決定部６１を設けた以外は図２に示す本発明の第１の実施例と同様の構成となっており、同一構成要素には同一符号を付してある。また、同一構成要素の動作は本発明の第１の実施例の動作と同様である。さらに、本実施例による基地局制御装置６が属するシステムは図１に示すセルラシステムである。
【００６５】
しきい値決定部６１は目標ＦＥＲに応じて移動局３２が選択する送信基地局を決定するためのしきい値（内部しきい値）を決定する。決定した内部しきい値は基地局２１，２３を介して下り回線において移動局３２に通知される。
【００６６】
図９は図８の基地局制御装置６の動作を示すフローチャートである。これら図１と図８と図９とを参照して基地局制御装置６が不定期に通知される下り回線の目標ＦＥＲ信号を受信した際の移動局３２に対する内部しきい値通知信号の送信について説明する。
【００６７】
まず、基地局制御装置６では新たに移動局３２と回線を設定する場合、または通信途中に下り回線の目標ＦＥＲが変更になった場合等において、図示せぬ上位ネットワークから通知される目標ＦＥＲ情報を抽出する（図９ステップＳ３１）。
【００６８】
基地局制御装置６は抽出した目標ＦＥＲ（ＦＥＲTRG ）をしきい値（ＦＥＲTH）と比較し（図９ステップＳ３２）、その結果、ＦＥＲTRG ＞ＦＥＲTHであれば、送信基地局を決定するための内部しきい値をＳ＝Ｓsmall とし（図９ステップＳ３３）、ＦＥＲTRG ＜ＦＥＲTHであれば、内部しきい値をＳ＝Ｓlarge と決定する（図９ステップＳ３４）。この時、Ｓsmall ＜Ｓlarge である。
【００６９】
その後、基地局制御装置６は決定した内部しきい値を通知する内部しきい値通知信号を送信する（図９ステップＳ３５）。基地局制御装置６では上位ネットワークから下り回線の目標ＦＥＲが通知される毎に、上述したような制御を行う。
【００７０】
本発明の第４の実施例の根幹をなす動作は、目標ＦＥＲが低いほど、送信基地局を決定するための内部しきい値を大きくし、送信基地局となる基地局数を増加させる点である。これによって、例え１つの送信基地局が送信基地局指定信号を誤って受信し、送信を停止したとしても、他の送信基地局が送信を行う可能性が高くなる。したがって、全ての基地局２１，２３が送信を停止する確率を低減させることができ、下り回線における目標ＦＥＲを達成することができる。
【００７１】
また、目標ＦＥＲが比較的高い場合には、内部しきい値を小さくする。この結果、送信基地局として指定される基地局数が減少し、複数送信による下り回線の干渉を減少させることができる。したがって、本実施例では下り回線の目標ＦＥＲを満たしつつ、できるだけ下り回線の干渉も低減することができ、回線容量を増大させることができる。
【００７２】
図１０は本発明の第５の実施例による基地局制御装置の構成を示すブロック図である。図１０において、本発明の第５の実施例による基地局制御装置７では目標ＳＩＲ決定部１４の代わりに通信基地局数決定部７１を設けた以外は図２に示す本発明の第１の実施例と同様の構成となっており、同一構成要素には同一符号を付してある。また、同一構成要素の動作は本発明の第１の実施例の動作と同様である。さらに、本実施例による基地局制御装置７が属するシステムは図１に示すセルラシステムである。
【００７３】
送信基地局数決定部７１は目標ＦＥＲに応じて移動局３２が選択する送信基地局数を決定する。決定した送信基地局数は基地局２１，２３を介して下り回線において移動局３２に通知される。
【００７４】
図１１は図１０の基地局制御装置７の動作を示すフローチャートである。これら図１と図１０と図１１とを参照して基地局制御装置７が不定期に通知される下り回線の目標ＦＥＲ信号を受信した際の移動局３２に対する送信基地局数通知信号の送信について説明する。
【００７５】
まず、基地局制御装置７では新たに移動局３２と回線を設定する場合、または通信途中に下り回線の目標ＦＥＲが変更になった場合等において、図示せぬ上位ネットワークから通知される目標ＦＥＲ情報を抽出する（図１１ステップＳ４１）。
【００７６】
基地局制御装置７は抽出した目標ＦＥＲ（ＦＥＲTRG ）をしきい値（ＦＥＲTH）と比較し（図１１ステップＳ４２）、その結果、ＦＥＲTRG ＞ＦＥＲTHであれば、送信基地局数をＮ＝Ｎsmall とし（図１１ステップＳ４３）、ＦＥＲTRG ＜ＦＥＲTHであれば、送信基地局数をＮ＝Ｎlarge とする（図１１ステップＳ４４）。この時、Ｎsmall ＜Ｎlarge である。
【００７７】
その後、基地局制御装置７は決定した送信基地局数を通知する送信基地局数通知信号を送信する（図１１ステップＳ４５）。基地局制御装置７では上位ネットワークから下り回線の目標ＦＥＲが通知される毎に、上述したような制御を行う。
【００７８】
本発明の第５の実施例の根幹をなす動作は、目標ＦＥＲが低いほど、移動局３２が選択する送信基地局数を大きくする点である。これによって、例え１つの送信基地局が送信基地局指定信号を誤って受信し、送信を停止したとしても、他の送信基地局が送信を行うことによって、全く送信が行われない確率を低減することができる。したがって、下り回線における受信品質を向上させることができ、目標ＦＥＲを達成することができる。
【００７９】
また、目標ＦＥＲが比較的高い場合には、選択する送信基地局数を少なくすることができる。したがって、上述した本発明の第４の実施例と同様に、下り回線の目標ＦＥＲを満たしつつ、できるだけ下り回線における干渉を減少させることができ、回線容量を増加させることができる。
【００８０】
図１２は本発明の第６の実施例による移動局の構成を示すブロック図である。図１２において、本発明の第６の実施例による移動局１１０はｎ台（ｎは１以上の整数）の基地局２１，２３から送信される無線信号を受信する受信アンテナ１１１と、送受共用器（ＤＵＰ）１１２と、無線信号を受信ベースバンド信号に変換する無線受信部（Ｒｘ）１１３と、複数の基地局のパイロット信号を受信しかつ受信レベルを測定する受信レベルモニタ１１４と、パイロット信号の受信レベルから送信基地局を決定する送信基地局決定部１１５と、決定した送信基地局を指定する送信基地局指定信号を生成する送信基地局指定信号生成部１１６と、複数の送信基地局からのベース信号を合成するＲＡＫＥ受信機１１７と、デマルチプレクサ１１８と、デマルチプレクサ１１８で分離された目標ＦＥＲ情報信号を抽出する目標ＦＥＲ情報信号抽出部１１９と、個別制御信号のオフセット電力値を決定するオフセット電力決定部１２０と、送信基地局指定信号と入力データとを多重して上り送信信号を生成するマルチプレクサ（ＭＵＸ）１２１と、上り回線の送信電力値を制御する送信電力制御部１２２と、上り送信信号を拡散して送信ベース信号を出力する拡散回路１２３と、送信ベース信号を無線信号に変換して送信する無線送信部（Ｔｘ）１２４とから構成されている。尚、本実施例による移動局１１０が属するシステムは図１に示すセルラシステムである。
【００８１】
受信レベルモニタ１１４は回線を設定した複数の基地局２１〜２３から送信されるパイロット信号を受信し、受信結果を送信基地局決定部１１５に通知し、送信基地局決定部１１５では受信レベルの大きい基地局から順に所定のしきい値内となる基地局を送信基地局として決定する。
【００８２】
また、オフセット電力決定部１２０は通知された目標ＦＥＲと所定のしきい値とを比較し、上り回線における個別制御信号の個別情報信号に対するオフセット電力値を決定し、送信電力値制御部１２２へ通知する。
【００８３】
図１３は図１２の移動局１１０の動作を示すフローチャートである。これら図１と図１２と図１３とを参照して移動局１１０において不定期に通知される下り回線の目標ＦＥＲ情報信号を受信した際の上り回線の送信電力値の設定制御について説明する。
【００８４】
まず、移動局１１０では新たに通信を開始する場合、または通信途中に下り回線の目標ＦＥＲが変更になった場合等において、基地局制御装置１から基地局２１，２３を介して下り回線において送信される目標ＦＥＲ情報信号を受信する（図１３ステップＳ５１）。
【００８５】
移動局１１０は目標ＦＥＲ情報信号を受信すると、目標ＦＥＲ（ＦＥＲTRG ）を抽出し、所定のしきい値（ＦＥＲTH）と比較し（図１３ステップＳ５２）、ＦＥＲTRG ＞ＦＥＲTHであれば、オフセット電力値をΔＰ＝Ｐsmall とし（図１３ステップＳ５３）、ＦＥＲTRG ＜ＦＥＲTHであれば、オフセット電力値をΔＰ＝Ｐlarge とする（図１３ステップＳ５４）。この時、Ｐsmall ＜Ｐlarge である。
【００８６】
その後、移動局１１０は決定したオフセット電力値で上り回線の個別制御信号と個別情報信号とを送信する（図１３ステップＳ５５）。移動局１１０では基地局制御装置１から下り回線の目標ＦＥＲが通知される毎に、上述したような制御を行う。
【００８７】
本発明の第６の実施例の根幹をなす動作は、上述した本発明の第２の実施例と同様であり、本発明の第２の実施例では基地局制御装置４において目標ＦＥＲに応じたオフセット電力値を決定していたところを、目標ＦＥＲを移動局１１０へ通知し、移動局１１０でオフセット電力値を決定する点が異なるだけである。
【００８８】
したがって、本実施例を用いることによって、本発明の第２の実施例と同様に、下り回線の目標ＦＥＲが低いほど、上り回線において送信する送信基地局指定信号の送信電力を高くし、送信基地局における送信基地局指定信号の受信誤りを低減させることができる。よって、全ての基地局２１，２３が送信を停止する確率が小さくなり、下り回線における目標ＦＥＲを達成することができる。
【００８９】
また、目標ＦＥＲが比較的大きい場合には、送信基地局指定信号の送信電力を低くするため、下り回線の目標ＦＥＲを満たしつつ、上り回線の回線容量を増大させることができる。
【００９０】
図１４は本発明の第７の実施例による移動局の構成を示すブロック図である。図１４において、本発明の第７の実施例による移動局１３０ではオフセット電力決定部１２０の代わりに送信基地局指定信号長決定部１３１を設けた以外は図１２に示す本発明の第６の実施例と同様の構成となっており、同一構成要素には同一符号を付してある。また、同一構成要素の動作は本発明の第６の実施例の動作と同様である。さらに、本実施例による移動局１３０が属するシステムは図１に示すセルラシステムである。
【００９１】
送信基地局指定信号長決定部１３１は目標ＦＥＲに応じて送信基地局を指定する送信基地局指定信号長を決定する。決定した信号長は送信基地局指定信号生成部１１６へ伝えられ、送信基地局指定信号生成部１１６では通知された長さの信号によって送信基地局指定信号を生成する。
【００９２】
図１５は図１４の移動局１３０の動作を示すフローチャートである。これら図１と図１４と図１５とを参照して移動局１３０において不定期に通知される下り回線の目標ＦＥＲ情報信号を受信した際の送信基地局指定信号の生成に関する制御について説明する。
【００９３】
まず、移動局１３０では新たに通信を開始する場合、または通信途中に下り回線の目標ＦＥＲが変更になった場合等において、基地局制御装置１から基地局２１，２３を介して下り回線において送信される目標ＦＥＲ情報信号を受信する（図１５ステップＳ６１）。
【００９４】
移動局１３０は目標ＦＥＲ情報信号を受信すると、目標ＦＥＲ（ＦＥＲTRG ）を抽出し、所定のしきい値（ＦＥＲTH）と比較し（図１５ステップＳ６２）、その結果、ＦＥＲTRG ＞ＦＥＲTHであれば、信号長をＴ＝Ｔshort とし（図１５ステップＳ６３）、ＦＥＲTRG ＜ＦＥＲTHであれば、信号長をＴ＝Ｔlongとする（図１５ステップＳ６４）。この時、Ｔshort ＜Ｔlongである。その後、移動局１３０は決定した信号長の送信基地局指定信号を生成し、上り回線の個別制御信号にて送信する（図１５ステップＳ６５）。
【００９５】
本発明の第７の実施例の根幹をなす動作は、上述した本発明の第３の実施例と同様であり、本発明の第３の実施例では基地局制御装置５において目標ＦＥＲに応じた送信基地局指定信号の信号長を決定していたところを、目標ＦＥＲを移動局１３０へ通知し、移動局１３０で信号長を決定する点が異なるだけである。したがって、本実施例を用いることによって、本発明の第３の実施例と同様に、下り回線の目標ＦＥＲが低いほど、上り回線において送信する送信基地局指定信号の信号長を長くし、冗長度を高める。この結果、送信基地局における送信基地局指定信号の受信誤りを低減させることができ、全ての基地局２１，２３が送信を停止する確率を小さくすることができる。よって、下り回線における目標ＦＥＲを達成することができる。
【００９６】
また、目標ＦＥＲが比較的高い場合には、送信基地局指定信号の信号長を短くする。これによって、送信基地局の更新周期を短く、またはフレーム当たりの送信基地局指定信号の情報ビットを削減することができる。したがって、下り回線の目標ＦＥＲを満たしつつ、できる限り送信基地局更新の追従性を高めるか、もしくは上り回線の送信の効率化を図ることができる。
【００９７】
図１６は本発明の第８の実施例による移動局の構成を示すブロック図である。図１６において、本発明の第８の実施例による移動局１４０ではオフセット電力決定部１２０の代わりにしきい値決定部１４１を設けた以外は図１２に示す本発明の第６の実施例と同様の構成となっており、同一構成要素には同一符号を付してある。また、同一構成要素の動作は本発明の第６の実施例の動作と同様である。さらに、本実施例による移動局１４０が属するシステムは図１に示すセルラシステムである。
【００９８】
しきい値決定部１４１は目標ＦＥＲに応じて送信基地局を指定する条件とする内部しきい値を決定する。決定した内部しきい値は送信基地局決定部１１５へ伝えられ、送信基地局決定部１１５では受信レベルモニタ１１４によって測定したパイロット信号受信レベルが、通知された内部しきい値内となる基地局２１，２３を送信基地局として決定する。
【００９９】
図１７は図１６の移動局１４０の動作を示すフローチャートである。これら図１と図１６と図１７とを参照して移動局１４０において不定期に通知される下り回線の目標ＦＥＲ情報信号を受信した際の送信基地局を決定する内部しきい値の制御について説明する。
【０１００】
まず、移動局１４０では新たに通信を開始する場合、または通信途中に下り回線の目標ＦＥＲが変更になった場合等において、基地局制御装置１から基地局２１，２３を介して下り回線において送信される目標ＦＥＲ情報信号を受信する（図１７ステップＳ７１）。
【０１０１】
移動局１４０は目標ＦＥＲ情報信号を受信すると、目標ＦＥＲ（ＦＥＲTRG ）を抽出し、所定のしきい値（ＦＥＲTH）と比較し（図１７ステップＳ７２）、その結果、ＦＥＲTRG ＞ＦＥＲTHであれば、信号長をＴ＝Ｔshort とし（図１７ステップＳ７３）、ＦＥＲTRG ＜ＦＥＲTHであれば、信号長をＴ＝Ｔlongとする（図１７ステップＳ７４）。この時、Ｔshort ＜Ｔlongである。その後、移動局１４０は決定した信号長の送信基地局指定信号を生成し、上り回線の個別制御信号にて送信する（図１７ステップＳ７５）。
【０１０２】
本発明の第８の実施例の根幹をなす動作は、上述した本発明の第４の実施例と同様であり、本発明の第４の実施例では基地局制御装置６において目標ＦＥＲに応じた送信基地局を選択するための内部しきい値を決定していたところを、目標ＦＥＲを移動局１４０へ通知し、移動局１４０で内部しきい値を決定する点が異なるだけである。したがって、本実施例を用いることによって、本発明の第４の実施例と同様に、下り回線の目標ＦＥＲが低いほど、上り回線において選択される送信基地局数が増加するようにし、例え１つの送信基地局が送信基地局指定信号を誤って受信し、送信を停止しても、他の送信基地局が送信を行うようにする。よって、全ての基地局２１，２３が送信を停止する確率を小さくすることができ、下り回線における目標ＦＥＲを達成することができる。
【０１０３】
また、目標ＦＥＲが比較的高い場合には、内部しきい値を小さくする。この結果、送信基地局として指定される基地局数が減少し、複数送信による下り回線の干渉を減少させることができる。したがって、本実施例では下り回線の目標ＦＥＲを満たしつつ、できるだけ下り回線の干渉を低減することができ、回線容量を増大させることができる。
【０１０４】
図１８は本発明の第９の実施例による移動局の構成を示すブロック図である。図１８において、本発明の第９の実施例による移動局１５０ではオフセット電力決定部１２０の代わりに送信基地局数決定部１５１を設けた以外は図１２に示す本発明の第６の実施例と同様の構成となっており、同一構成要素には同一符号を付してある。また、同一構成要素の動作は本発明の第６の実施例の動作と同様である。さらに、本実施例による移動局１５０が属するシステムは図１に示すセルラシステムである。
【０１０５】
送信基地局数決定部１５１は目標ＦＥＲに応じて選択する送信基地局数を決定する。決定した送信基地局数は送信基地局決定部１１５へ伝えられ、送信基地局決定部１１５では受信レベルモニタ１１４によって測定したパイロット信号受信レベルが大きい順に通知された基地局数だけ送信基地局数を決定する。
【０１０６】
図１９は図１８の移動局１５０の動作を示すフローチャートである。これら図１と図１８と図１９とを参照して移動局１５０において不定期に通知される下り回線の目標ＦＥＲ情報信号を受信した際の選択する送信基地局数の制御について説明する。
【０１０７】
まず、移動局１５０では新たに通信を開始する場合、または通信途中に下り回線の目標ＦＥＲが変更になった場合等において、基地局制御装置１から基地局２１，２３を介して下り回線において送信される目標ＦＥＲ情報信号を受信する（図１９ステップＳ８１）。
【０１０８】
移動局１５０は目標ＦＥＲ情報信号を受信すると、目標ＦＥＲ（ＦＥＲTRG ）を抽出し、所定のしきい値（ＦＥＲTH）と比較し（図１９ステップＳ８２）、その結果、ＦＥＲTRG ＞ＦＥＲTHであれば、選択する送信基地局数をＮ＝Ｎsmall とし（図１９ステップＳ８３）、ＦＥＲTRG ＜ＦＥＲTHであれば、送信基地局数をＮ＝Ｎlarge とする（図１９ステップＳ８４）。この時、Ｎsmall ＜Ｎlarge である。その後、移動局１５０は決定した基地局数だけ、パイロット信号受信レベルの大きい順に送信基地局を選択する（図１９ステップＳ８５）。
【０１０９】
本発明の第９の実施例の根幹をなす動作は、上述した本発明の第５の実施例と同様であり、本発明の第５の実施例では基地局制御装置７において目標ＦＥＲに応じて選択する送信基地局数を決定していたところを、目標ＦＥＲを移動局１５０へ通知し、移動局１５０で選択する送信基地局数を決定する点が異なるだけである。したがって、本実施例を用いることによって、本発明の第５の実施例と同様に、下り回線の目標ＦＥＲが低いほど、上り回線において選択する送信基地局数を大きくし、例え１つの送信基地局が送信基地局指定信号を誤って受信し、送信を停止しても、他の送信基地局が送信を行うようにする。よって、全ての基地局２１，２３が送信を停止する確率を小さくすることができ、下り回線における目標ＦＥＲを達成することができる。
【０１１０】
また、目標ＦＥＲが比較的高い場合には、選択する送信基地局数を少なくすることができる。したがって、本発明の第５の実施例と同様に、下り回線の目標ＦＥＲを満たしつつ、できるだけ下り回線における干渉を減少させることができ、回線容量を増加させることができる。
【０１１１】
尚、本発明ではＤＳ−ＣＤＭＡ方式を用いたセルラシステムについて述べたが、このセルラシステムに限らず、他のアクセス方式を用いたセルラシステムに適用することもできる。
【０１１２】
また、本発明では、目標ＦＥＲを比較するしきい値を１つだけ設定しているが、これに限らず、複数のしきい値との比較を行い、段階的に各制御量（送信基地局信号の送信電力値、信号長、内部しきい値、送信基地局数）を制御してもよい。
【０１１３】
さらに、本発明における基地局制御装置は図１に示すシステム構成に限るものではなく、図１におけるセルラシステムの各基地局に個別に設置するようにしてもよい。
【０１１４】
このように、下り回線の目標品質に応じて、送信基地局における送信基地局指定信号の受信誤り率、もしくは指定される送信基地局数を制御することによって、下り回線において全ての基地局が送信を行わなくなる確率を変化させることができる。通常、全ての基地局が送信を行わない確率を高めるには、上り回線や下り回線の回線容量の減少、または送信基地局更新周期の増長等の影響が生じる。
【０１１５】
したがって、目標品質に応じて適応的に全ての基地局が送信を停止する確率を制御することによって、できる限り上り回線や下り回線の回線容量を増大、もしくは送信基地局更新周期の短縮等を図りつつ、下り回線の目標品質を満たすことができる。
【０１１６】
【発明の効果】
以上説明したように本発明によれば、ｎ台（ｎは１以上の整数）の基地局との間で回線が設定される移動局において、基地局から送信されるパイロット信号の受信品質を測定しかつ当該測定結果に応じて回線を設定している基地局からｍ台（ｍは１以上の整数）の送信基地局を決定するとともに、送信基地局を指定する送信基地局指定信号を上り回線を通して送信し、回線を設定した基地局において、送信基地局指定信号によって自局が送信基地局として指定されている場合に送信を行いかつそれ以外の場合に送信を停止するセルラシステムにおいて、目標とする下り回線の受信誤り率に応じて上り回線を通して送信される送信基地局指定信号の受信誤り率を変化させることによって、上り回線または下り回線の回線容量への影響や送信基地局更新の制御周期の増長等をできるだけ小さくしつつ、下り回線の受信誤り率を達成することができるという効果がある。
【図面の簡単な説明】
【図１】本発明の実施の形態によるセルラシステムの構成を示すブロック図である。
【図２】本発明の第１の実施例による基地局制御装置の構成を示すブロック図である。
【図３】図２の基地局制御装置の動作を示すフローチャートである。
【図４】本発明の第２の実施例による基地局制御装置の構成を示すブロック図である。
【図５】図４の基地局制御装置の動作を示すフローチャートである。
【図６】本発明の第３の実施例による基地局制御装置の構成を示すブロック図である。
【図７】図６の基地局制御装置の動作を示すフローチャートである。
【図８】本発明の第４の実施例による基地局制御装置の構成を示すブロック図である。
【図９】図８の基地局制御装置の動作を示すフローチャートである。
【図１０】本発明の第５の実施例による基地局制御装置の構成を示すブロック図である。
【図１１】図１０の基地局制御装置の動作を示すフローチャートである。
【図１２】本発明の第６の実施例による移動局の構成を示すブロック図である。
【図１３】図１２の移動局の動作を示すフローチャートである。
【図１４】本発明の第７の実施例による移動局の構成を示すブロック図である。
【図１５】図１４の移動局の動作を示すフローチャートである。
【図１６】本発明の第８の実施例による移動局の構成を示すブロック図である。
【図１７】図１６の移動局の動作を示すフローチャートである。
【図１８】本発明の第９の実施例による移動局の構成を示すブロック図である。
【図１９】図１８の移動局の動作を示すフローチャートである。
【符号の説明】
１，４〜７  基地局制御装置
１０  入力端子
１１  受信処理部
１２  制御部
１３  目標ＦＥＲ情報抽出部
１４  目標ＳＩＲ決定部
１５  送信処理部
１６  出力端子
２１〜２３  基地局
３１，３２，１１０，１３０，１４０，１５０  移動局
４１，１２０  オフセット電力値決定部
５１，１３１  送信基地局指定信号長決定部
６１，１４１  しきい値決定部
７１，１５１  送信基地局数決定部
１０１〜１０３  セル
１１１  受信アンテナ
１１２  送受共用器
１１３  無線受信部
１１４  受信レベルモニタ
１１５  送信基地局決定部
１１６  送信基地局指定信号生成部
１１７  ＲＡＫＥ受信機
１１８  デマルチプレクサ
１１９  目標ＦＥＲ情報信号抽出部
１２１  マルチプレクサ
１２２  送信電力制御部
１２３  拡散回路
１２４  無線送信部
【図１】
0003543773.tif 000002
【図２】
0003543773.tif 000003
【図３】
0003543773.tif 000004
【図４】
0003543773.tif 000005
【図５】
0003543773.tif 000006
【図６】
0003543773.tif 000007
【図７】
0003543773.tif 000008
【図８】
0003543773.tif 000009
【図９】
0003543773.tif 000010
【図１０】
0003543773.tif 000011
【図１１】
0003543773.tif 000012
【図１２】
0003543773.tif 000013
【図１３】
0003543773.tif 000014
【図１４】
0003543773.tif 000015
【図１５】
0003543773.tif 000016
【図１６】
0003543773.tif 000017
【図１７】
0003543773.tif 000018
【図１８】
0003543773.tif 000019
【図１９】
0003543773.tif 000020